(57)【要約】【課題】移動先の通信システムへ接続する際の接続処理に要する時間を短縮すること。【解決手段】通信端末装置１００は通信システムから切断される前に、切断前基地局情報と移動先基地局情報とをそれぞれ切断前基地局情報記憶部１０８と移動先基地局情報記憶部１０７に記憶する。移動先基地局情報は、ユーザが入力部１０１から入力した移動先場所情報に対応する基地局情報である。基地局情報選択部１０９は、通信端末装置１００が移動をしなかった場合は切断前基地局情報を用いて、通信端末装置１００が移動先へ移動した場合は移動先基地局情報を用いて基地局探索が行われるように、いずれかの基地局情報を選択する。【選択図】図１
2007110248.tif 000002
【特許請求の範囲】
【請求項１】
移動先の基地局の情報である第１情報を移動元の通信システムにおいて記憶する第１記憶手段と、
移動先の通信システムに接続する際、前記第１情報を用いて基地局探索を行う探索手段と、
を具備する通信端末装置。
【請求項２】
移動元の通信システムとの接続を切断する前に、接続していた基地局の情報である第２情報を記憶する第２記憶手段、をさらに具備し、
前記探索手段は、前記第１情報または前記第２情報のいずれかを用いて基地局探索を行う、
請求項１記載の通信端末装置。
【請求項３】
移動先の場所に関する情報である第３情報を送信する送信手段と、
前記第３情報に対応する前記第１情報を受信する受信手段と、
をさらに具備する請求項１記載の通信端末装置。
【請求項４】
請求項３記載の通信端末装置に前記第１情報を提供する情報提供装置であって、
前記通信端末装置から前記第３情報を受信する受信手段と、
基地局情報データベースから前記第３情報に対応する前記第１情報を検索する検索手段と、
検索された前記第１情報を前記通信端末装置に送信する送信手段と、
を具備する情報提供装置。
【請求項５】
通信端末装置における通信システム接続方法であって、
移動先の基地局の情報を移動元の通信システムにおいて記憶する記憶ステップと、
移動先の通信システムに接続する際、前記情報を用いて基地局探索を行う探索ステップと、
を具備する通信システム接続方法。
【発明の詳細な説明】
【技術分野】
【０００１】
本発明は、通信端末装置、情報提供装置、および通信システム接続方法に関する。
【背景技術】
【０００２】
近年、通信システムの進歩に伴い、同じ情報を多数の異なる通信システムから入手することが可能になっている。例えば、私たちは、新聞、ラジオ、テレビ、インターネット、携帯電話など様々な媒体から毎日のニュースを知ることができる。また最近は、さらに、このような多数の情報の取得方法を有効に組み合わせて利用することによって、効率、品質、利便性にさらに優れたサービスを提供する技術が盛んに研究開発されている。
【０００３】
このような技術の１つとして、ＧＰＳなどを通じて場所に関する情報を受信し、その場所の特徴に適した設定を自動的に行う通信端末がある（例えば、特許文献１参照）。この通信端末は、例えば日本に位置している場合、日本の標準電波ＪＪＹを受信すると、通信端末内部に備えているテーブルから日本の法律に準拠する電波の強度、電波の周波数などを検索して、それに基づく動作状態を自動的に設定することができる。上記のＪＪＹ標準電波は日本の茨城県猿島郡三和町に設置された無線送信所から、世界で唯一日本全国に送信される電波である。他の各国にもその国を識別するための標準電波送信機が設置されているため、例えば通信端末ユーザが海外出張に行く場合、そのユーザが手動で各国に適するように通信端末の設定を切り替える必要が無く、通信端末は自動的に設定を行うことができる。従って、この技術によれば、ユーザの手間を省くことができ、通信サービスの利便性を向上させることができる。
【特許文献１】特開２００１−６９０２４号公報
【発明の開示】
【発明が解決しようとする課題】
【０００４】
上記のように一台の通信端末を異なる複数の国で使用することがますます増加すると予想されるため、通信端末が移動先の通信システムへ接続する際のスピードをより向上させることが望まれる。
【０００５】
本発明は、かかる点に鑑みてなされたものであり、移動先の通信システムへ接続する際の接続処理に要する時間を短縮することができる通信端末装置、情報提供装置、および通信システム接続方法を提供することを目的とする。
【課題を解決するための手段】
【０００６】
本発明の通信端末装置は、移動先の基地局の情報である第１情報を移動元の通信システムにおいて記憶する第１記憶手段と、移動先の通信システムに接続する際、前記第１情報を用いて基地局探索を行う探索手段と、を具備する構成を採る。
【発明の効果】
【０００７】
本発明によれば、通信端末装置が通信システムから切断される際に、移動先の基地局の情報を記憶することにより、移動先で通信システムに接続する際、初期状態から基地局探索を行わず、記憶していた移動先の基地局の情報を用いて移動先の通信システムに接続することができる。従って、本発明によれば、移動先の通信システムへの接続処理に要する時間を短縮することができ、通信端末装置の消費電力を抑えることができる。
【発明を実施するための最良の形態】
【０００８】
以下、本発明の実施の形態について、添付図面を参照して詳細に説明する。
【０００９】
図１は、本発明の一実施の形態に係る移動通信端末１００の構成を示すブロック図である。本実施の形態では、本発明に係る通信端末装置として移動通信システムで使用される移動通信端末１００を例にとって説明する。
【００１０】
入力部１０１はキーボードパネル等から構成され、移動通信端末１００のユーザは入力部１０１から移動先に関する場所情報（移動先場所情報）を入力する。
【００１１】
移動先場所情報取得部１０２は、入力部１０１から入力された移動先場所情報を取得し、移動先場所情報記憶部１０３に記憶する。
【００１２】
入出力制御部１０４は、移動先場所情報記憶部１０３に記憶されている移動先場所情報を無線通信部１０５に出力する。また、入出力制御部１０４は、無線通信部１０５がアンテナ１０６を介して受信した移動先の基地局の情報（移動先基地局情報）を移動先基地局情報記憶部１０７に記憶する。
【００１３】
無線通信部１０５は、アンテナ１０６を介して、移動先場所情報を基地局情報提供装置２００（図２）に送信し、また、基地局情報提供装置２００から移動先場所情報に対応する移動先基地局情報を受信する。基地局情報提供装置２００の詳細については後述する。
【００１４】
移動先基地局情報記憶部１０７は、入出力制御部１０４から出力される移動先基地局情報を記憶するメモリである。
【００１５】
切断前基地局情報記憶部１０８は、移動通信端末１００が移動元の移動通信システムから切断される前に接続していた基地局の情報（切断前基地局情報）を記憶するメモリである。
【００１６】
基地局情報選択部１０９は、切断されていた移動通信端末１００が移動通信システムに接続する際に、移動先基地局情報記憶部１０７に記憶されている移動先基地局情報を用いるか、それとも切断前基地局情報記憶部１０８に記憶されている切断前基地局情報を用いるかの選択を行う。
【００１７】
基地局探索部１１０は、基地局情報選択部１０９が選択した基地局情報を用いて、基地局を探索し、移動通信システムに接続する。
【００１８】
表示部１１１は、メッセージを表示し、また、ユーザが入力部１０１から入力した情報をユーザが確認できるように表示する。
【００１９】
図２は、本実施の形態に係る基地局情報提供装置２００の構成を示すブロック図である。本実施の形態では、本発明に係る情報提供装置として移動通信システムで使用される基地局に関する情報を提供する、基地局情報提供装置２００を例にとって説明する。基地局情報提供装置２００は、移動に際し移動通信端末１００の電源を切るユーザが集中する区域、例えば、空港等に設置される。
【００２０】
無線通信部２０１は、アンテナ２０２を介して、移動通信端末１００から移動先場所情報を受信し、また移動先場所情報に対応する移動先基地局情報を移動通信端末１００に送信する。
【００２１】
入出力制御部２０３は、無線通信部２０１が受信した移動先場所情報を入力されて、移動先場所情報記憶部２０４に記憶する。また、入出力制御部２０３は、移動先基地局情報記憶部２０７に記憶されている移動先基地局情報を無線通信部２０１に出力する。
【００２２】
移動先場所情報記憶部２０４は、移動先場所情報を記憶するメモリである。
【００２３】
基地局情報データベース２０５は、複数の移動先場所情報と複数の移動先基地局情報とがそれぞれ対応付けて記憶されているデータベースである。
【００２４】
基地局情報検索部２０６は、基地局情報データベース２０５を検索して、移動先場所情報記憶部２０４に記憶されている移動先場所情報に対応する移動先基地局情報を取得し、この移動先基地局情報を移動先基地局情報記憶部２０７に記憶する。
【００２５】
移動先基地局情報記憶部２０７は、移動先基地局情報を記憶するメモリである。
【００２６】
図３は、本実施の形態に係る移動通信端末１００の移動通信システムとの切断処理及び接続処理を示すフロー図である。
【００２７】
ＳＴ（ステップ）３０１において、移動通信端末１００は、移動元の移動通信システムとの接続を切断する前に、切断前基地局情報を切断前基地局情報記憶部１０８に記憶する。
【００２８】
ＳＴ３０２において、移動通信端末１００は、表示部１１１にメッセージを表示して、移動先場所情報を入力するか否かユーザに選択させる。
【００２９】
ＳＴ３０２において、ユーザが移動先場所情報を入力すると選択した場合（ＳＴ３０２：ＹＥＳ）、ユーザは次いでＳＴ３０３において、移動通信端末１００の入力部１０１から移動先場所情報を入力する。
【００３０】
ＳＴ３０２において、ユーザが移動先場所情報を入力しないと選択した場合（ＳＴ３０２：ＮＯ）、移動通信端末１００の処理はＳＴ３０７に進む。
【００３１】
ＳＴ３０４において、入出力制御部１０４は、移動先場所情報記憶部１０３に記憶された移動先場所情報を、無線通信部１０５を介して基地局情報提供装置２００に送信する。この移動先場所情報を受信した基地局情報提供装置２００における基地局情報提供処理については後述する。
【００３２】
ＳＴ３０５において、無線通信部１０５は基地局情報提供装置２００から送られる移動先基地局情報を受信する。
【００３３】
ＳＴ３０６において、入出力制御部１０４は、無線通信部１０５が受信した、移動先基地局情報を移動先基地局情報記憶部１０７に記憶する。
【００３４】
ＳＴ３０７において、移動通信端末１００は、移動通信システムとの接続を切断し、電源をＯＦＦにする。
【００３５】
ＳＴ３０８において、移動通信端末１００は移動先へ移動する。
【００３６】
ＳＴ３０９において、移動先においてユーザは移動通信端末１００の電源をＯＮにする。
【００３７】
ＳＴ３１０において、移動通信端末１００は基地局情報選択処理を行い、移動通信システムに接続する。移動通信端末１００の基地局情報選択処理については後述する。
【００３８】
図４は、基地局情報提供装置２００における基地局情報提供処理を示すフロー図である。この処理は、移動通信端末１００が移動先場所情報を送信するステップと（図３のＳＴ３０４）、移動通信端末１００が移動先基地局情報を受信するステップ（図３のＳＴ３０５）との間に、基地局情報提供装置２００において行われる。
【００３９】
ＳＴ４０１において、無線通信部２０１は、移動通信端末１００から送られる移動先場所情報を受信する。
【００４０】
ＳＴ４０２において、入出力制御部２０３は、無線通信部２０１が受信した移動先場所情報を移動先場所情報記憶部２０４に記憶する。
【００４１】
ＳＴ４０３において、基地局情報検索部２０６は、基地局情報データベース２０５を検索して、移動先場所情報記憶部２０４に記憶されている移動先場所情報に対応する基地局情報を取得する。
【００４２】
ＳＴ４０４において、基地局情報提供装置２００は、基地局情報検索部２０６が検索して取得した移動先基地局情報を移動先基地局情報記憶部２０７に記憶する。
【００４３】
ＳＴ４０５において、入出力制御部２０３は、無線通信部２０１を介して、移動先基地局情報記憶部２０７に記憶されている移動先基地局情報を移動通信端末１００に送信する。
【００４４】
移動通信端末１００は、図３のＳＴ３０４において、基地局情報提供装置２００が上記ＳＴ４０５において送信する移動先基地局情報を受信してＳＴ３０６以降の処理を行う。
【００４５】
図５は、移動通信端末１００における基地局情報選択処理を示すフロー図である。この基地局情報探索処理は図３のＳＴ３１０において、移動通信端末１００の基地局情報選択部１０９および基地局探索部１１０が行う処理である。
【００４６】
ＳＴ５０１において、基地局情報選択部１０９は、移動先基地局情報記憶部１０７に移動先基地局情報が記憶されているか否か判断する。
【００４７】
ＳＴ５０１において、移動先基地局情報記憶部１０７に移動先基地局情報が記憶されていると判断した場合（ＳＴ５０１：ＹＥＳ）、ＳＴ５０２において、基地局探索部１１０は、この移動先基地局情報を用いて基地局探索を行い、移動通信システムに接続する。
【００４８】
ＳＴ５０３において、基地局情報選択部１０９は、移動通信端末１００の移動通信システムへの接続が成功したか否か判断する。
【００４９】
ＳＴ５０１において移動先基地局情報記憶部１０７に移動先基地局情報が記憶されていないと判断した場合（ＳＴ５０１：ＮＯ）、または、ＳＴ５０３において移動通信システムへの接続が成功しなかったと判断した場合（ＳＴ５０３：ＮＯ）、基地局探索部１１０はＳＴ５０４において、切断前基地局情報記憶部１０８に記憶されている切断前基地局情報を用いて基地局探索を行い、移動通信システムに接続する。
【００５０】
ＳＴ５０５において、基地局情報選択部１０９は移動通信端末１００の移動通信システムへの接続が成功したか否か判断する。
【００５１】
ＳＴ５０５において移動通信システムへの接続が成功しなかったと判断した場合（ＳＴ５０５：ＮＯ）、ＳＴ５０６において、基地局探索部１１０は、すべての周波数を用いて基地局探索を行い、移動通信システムに接続する。
【００５２】
ＳＴ５０３において移動通信システムへの接続が成功したと判断した場合（ＳＴ５０３：ＹＥＳ）、ＳＴ５０５において移動通信システムへの接続が成功したと判断した場合（ＳＴ５０５：ＹＥＳ）、またはＳＴ５０６の処理後、基地局情報選択部１０９は、ＳＴ５０７において、移動先基地局情報記憶部１０７及び切断前基地局情報記憶部１０８をクリアする。
【００５３】
このように、本実施の形態によれば、移動通信端末は移動先において、すべての周波数を用いて基地局探索を行うのではなく、予め記憶した移動先基地局情報を用いて基地局探索を行って移動通信システムに接続するため、移動先での移動通信システムへの接続処理に要する時間を短縮することができ、移動通信端末の消費電力を抑えることができる。
【００５４】
なお、本実施の形態では、ユーザはキーボードから移動先場所情報を入力しているが、例えば、移動先の空港の場所情報が載せられている電子航空券から移動先場所情報を取得してもよく、移動通信端末に付いているカメラを用いてＱＲコード（Quick Response Code）を撮影して移動先場所情報を取得してもよく、また、インターネットを通じて移動先場所情報を取得してもよい。
【００５５】
また、本実施の形態で、移動通信端末と基地局情報提供装置とは無線通信にて移動先場所情報及び移動先基地局情報の送受信を行っているが、移動通信端末と基地局情報提供装置とを繋ぐ通信ケーブルを用いて上記の情報を送受信してもよく、インターネットを通じて上記の情報を送受信してもよい。
【００５６】
以上、本発明の一実施の形態について説明した。
【００５７】
なお、ここでは、本発明をハードウェアで構成する場合を例にとって説明したが、本発明をソフトウェアで実現することも可能である。例えば、本発明に係る通信システム接続方法のアルゴリズムをプログラミング言語によって記述し、このプログラムをメモリに記憶しておいて情報処理手段によって実行させることにより、本発明に係る通信端末装置及び情報提供装置と同様の機能を実現することができる。
【産業上の利用可能性】
【００５８】
本発明に係る通信端末装置、情報提供装置、および通信システム接続方法は、通信システム間を移動する通信端末等に好適である。
【図面の簡単な説明】
【００５９】
【図１】本発明の一実施の形態に係る移動通信端末の構成を示すブロック図
【図２】本発明の一実施の形態に係る基地局情報提供装置の構成を示すブロック図
【図３】本実施の一実施の形態に係る移動通信端末の移動通信システムとの切断処理及び接続処理を示すフロー図
【図４】本発明の一実施の形態に係る基地局情報提供装置における基地局情報提供処理を示すフロー図
【図５】本発明の一実施の形態に係る移動通信端末における基地局情報選択処理を示すフロー図
【符号の説明】
【００６０】
１０１  入力部
１０２  移動先場所情報取得部
１０３  移動先場所情報記憶部
１０４  入出力制御部
１０５  無線通信部
１０６  アンテナ
１０７  移動先基地局情報記憶部
１０８  切断前基地局情報記憶部
１０９  基地局情報選択部
１１０  基地局探索部
１１１  表示部
【図１】
2007110248.tif 000003
【図２】
2007110248.tif 000004
【図３】
2007110248.tif 000005
【図４】
2007110248.tif 000006
【図５】
2007110248.tif 000007